【手続補正書】
【提出日】平成16年11月10日(2004.11.10)
【手続補正１】
【補正対象書類名】明細書
【補正対象項目名】全文
【補正方法】変更
【補正の内容】
【書類名】明細書    【発明の名称】在宅患者用としての吸引器代用・咽喉粘液除去の為の吸着棒     【発明の詳細な説明】    【０００１】    【技術分野】  従来は、在宅高齢者、身体障害者を看護する人又は、介護者が、高齢者・患者の痰が咽喉に絡まり呼吸困難の発作時に対しては割り箸に綿花を巻いた簡単なものを用いていた。本発明においては、前者型式と同じ仕様に準じたものではあるが、自然に優しい適材を用い、衛生的に包装等に工夫を加えた携帯も可能なもので、、現在市場の高度な吸引機器の電気的なものを用いず、家庭でマニュアルに従い誰にでも簡単に使えるものである。（昔返りながら）のものではあるが、停電時や、カテ−テルの洗浄・消毒等使用不能の際も、患者は発作を起こすことも往々にしてあり、寸時も側から手放せないもので、高度な精密吸引器の備えがあっても上述の緊急を要する場合や、災害時電源の確保が難しい等の、緊急災害備品のセット品として、カテ−テル先端に相当する本発明「蒲の穂」部分をＩＳＯ規格に準拠した６ｍｍ外観７乃至８ｍｍ仕様とした、隙間を埋める（ニッチ商品的）衛生的な使い捨ての消耗品としたことを特徴とする。    【０００２】    【背景技術】  従来は、高齢者が家庭での在宅療養時、咽に痰が絡まったときは側に居合わせた人や、介護人が、割り箸の先に綿花つまり脱脂綿を指先でくるくる巻きつけ「蒲の穂」型にしたものを患者の咽喉の稍奥まで差し込んで、注意し廻しながら左右に動かし痰が絡んだのを手応えで感じてから引き出すという処置がなされていた。不衛生とも思える簡単な用具を用いていた。    【０００３】    【発明が解決しようとする課題】  従来からの割り箸式では、作製の行程で不衛生な面が多く、予備にたくさん作り置くとしても、収納ケ−スは密閉できるか、作製する人の手先は消毒したか、使用の途中で穂先が外れはしないか？  万一、咽喉で穂先が外れたら一大事に繋がる等々課題も多い。    【０００４】  やがて、戦後の団塊の世代が大勢というか、一勢に高齢化として押し寄せてきます。みんなが何時までも健常者として過ごせるとは限らず、加齢と共に心身の老化に加え種々の病気を併発又、高齢による痴呆症等の看護や介護・徘徊癖のある患者には監視を要する等。総ての高齢者が介護付き高級ホ−ムや、病歴や持病のある人が長期に入院加寮を受けることは何処の収容施設も飽和状態であり、続々増える入所希望者が時間待ち、いずれは、在宅治療に（欧米特にスエ−デン・デンマ−ク等福祉先進国と言われている国でも高齢化が進み、施設の増設や、医療費が急激に増える等問題になっていると報道されています。将来的には、人生の終末は多くの人が家庭で迎えることになる）と。私達もその先進国に倣って自宅療養にならざるを得ないものと思われる。家庭で昼夜を問わず付き添う家人は大変な重圧を感じることになるが、その際、高齢者介護には、病気の急変、その処置法等学習も要求される。高齢者特有の咽の粘液（痰）の処置頻度の多いことが挙げられる。その際、各家庭に吸引器を購入することも考えられハイテクな物が多く市販され重宝もしてもいるが、介護をする人に、痰の絡まりの処置・後始末、消毒液の取り扱い・洗浄等々の煩わしさは介護者に過重の負担を掛けることにもなる。���年、介護をする側も高齢者の場合が多数となって来ると言う悪循環の社会的問題点もある。    【０００５】  在宅治療の特に、一日の殆どをベッドで渦ごす人は、概ね、身体的にも自力で食の摂取・排泄までも人の介助を必要とする。高齢者や患者には錠剤も嚥下する力の弱った人には投薬しないと聞きます。咽に詰まった痰の絡みも自力では、吐き出すことも、くしゃみすら出来ず、時として切迫した事態に陥ることもあり、そのようになれば、『即救急車を廻してもらう』となります。現在健康であっても、何時風邪をこじらせたりすることもあり、然し、高齢者家庭の殆どが、一軒一軒に吸引器（特に高精度・高価格のもの）が常備してあるとは限らない。    【０００６】    【課題を解決するための手段】  この様に、咽喉粘液（痰）による呼吸困難で切迫した状態から、高齢者・患者を安息に導くためには、咽喉に溜まった痰を誰もが、簡単に、即座に除去するためにも使い捨て又、将来的には、環境を考慮して一部を切り捨てる方法又、繰り返し洗浄煮沸・消毒して使える材質のものを用いる等、手近（枕元）に置いておくことにより、衛生的な包装による本発明、「在宅患者用としての吸引器代用・咽喉粘液（痰）除去の為の吸着棒」が電気的な機具などを用いること無く、呼吸困難発作時の患者に直ちに対処できるものである。    【０００７】  本件発明になる、吸着棒において、衛生的であること、手近に置き、誰もが目に付く場所（患者の枕元）に、救急用具（痰の吸着棒）であることのマ−クをしっかり確認できるような常備品とする。    【０００８】    【発明を実施するための最良の形態】  人の生涯は誰もが否応なく老いを迎えることになるのであるが輪廻で、回り持ちでもある。本件、使用法においては、製品化の際に注意書きを（咽喉部分の生理・解剖図等を入れた説明書）ベッドの寝位置との関係、横臥か、仰臥か？、どの程度の角度、どのくらい咽の奥まで挿入できるか？、吸着棒を使用する前処置として、（イ）挿入棒の穂先を清潔に保ち使用前は、水分で湿らせてはならない。（ロ）挿入時は該・吸着棒を咽の、どのあたりまで気道の確保等を考えながら挿入できるものか、（ハ）以上を家族一同で研修しておくと言った、準備・学習も必要であり、（ニ）吸着棒の挿入時は、介護者が、出来たら二人で一人は患者の頭部を動かぬように固定し、一人が、吸着棒を左廻りに廻しながら、咽喉へ、奥へ届いたら、今度は、反対に右へ吸着棒を廻しながら痰を先端の襞に絡めとり引き出し終了。（挿入時を右廻りでは、引き出す時反対の左廻りとする）    【０００９】    【発明の効果】  何時起こるかわからない痰の絡まりによる呼吸困難の発作に、常に吸引機器の代用品として備えて置き、吸引器の故障時や、ボトル・カテ−テルを外して消毒時等の際に、代用に本件、吸着棒を応急処置に用いることで危機を免れることもある。処置は、挿入から吸引までその間約５秒から７秒位の所用時間で終わる。古来から先人は祖父母や父母をこの様な手法で、自然に当たり前のように見よう見まねで承け継いでやって来たものと推測される。高性能の機器、又、機器に繋いだカテ−テルの先端も、「蒲の穂」形の本発明とは性能他、すべてにおいて、雲泥の差はあっても使用目的は高齢者・患者の咽���に絡まった痰を除去し呼吸を楽にすることが最終の目的であることは同一のものである。    【図面の簡単な説明】    【図１】  吸着棒一体成型の拡大平面図である    【図２】  吸着棒の先端部で、広い表面積を斜め又は、縦襞に折り込み仮着、丸く滑    らかにした拡大平面図である    【図３】  吸着棒先端から見た斜め又は、縦襞に仮着した使用前の拡大側面図    【図４】  吸着棒を右に回しながら吸着を終わり取り出す際の吸着部分の状態を表す    拡大図である    【符号の説明】１．    吸着棒の吸着部分（吸着部分の２分の１から先端部を稍細めに滑らかな丸みを持たせ螺旋風縦襞は吸着部分上部を下部とは１８０度反対方向へ倒し仮着）した図である。２．    吸着棒のハンドル（軸）３．    吸着部分の斜め縦襞仮着部（上部・下部は１８０度反対方向へ倒し仮着）４．    仮着した使用前の吸着部分５．    右及び、左廻しによる使用時の縦襞の状態を表す図。【手続補正２】
【補正対象書類名】図面
【補正対象項目名】全図
【補正方法】変更
【補正の内容】
【書類名】図面    【図１】2005081121.tif 000001
【図２】2005081121.tif 000002
【図３】2005081121.tif 000003
【図４】2005081121.tif 000004
【手続補正３】
【補正対象書類名】特許請求の範囲
【補正対象項目名】全文
【補正方法】変更
【補正の内容】
【書類名】  特許請求の範囲      【請求項１】  在宅患者用としての吸引器代用・咽喉粘液（以下、痰とする）除去の為の吸着棒（以下、吸着棒とする）においては、ａ    本発明・吸着棒を用いて痰吸引時、吸着部分の材質が千切れたり繊維や屑が咽喉粘膜に付着又は残存せず、パルプ材によるティシュペ−パ−と同程度の吸水・吸湿性を有する材質を用い、ｂ    径口伝染病を考慮し最も衛生的で、特に咽喉粘膜を薬物・香料等で刺激することなく、ｃ    形態としては、本体の片方に「蒲の穂」形に吸着部分を形成、（この吸着部分の軸芯は、頸部に当たる「蒲の穂」の付け根に弾力を持つものとし）ハンドル部の先に「蒲の穂」形吸着部分を容易に抜け落ちない構造、先端を稍細目に、丸みを帯びた仕様とし、ｄ    吸着部分表面には、吸引しようとする痰を一度で多くの吸着を促すために表面積を広くと「蒲の穂」形表面に二段式に上段（先端）を左に、下段（頸部）には右に向け螺旋状に縦襞を施し軽く仮着したことを特徴とし、使用時には、左へ廻しながら咽喉部へ挿入、直ちに反対の右へ廻しながら引き出す（反対に廻しても可）電気的なものを用いない方法を採用した（ａ）（ｂ）（ｃ）（ｄ）以上の構成からなる在宅患者用としての吸引器代用・咽喉粘液除去の為の吸着棒。